(57)【要約】【課題】各種の電子回路の端子台等が備える接続端子に対し電気的に接触させた状態を安定的に維持させることができる計測器用測定プローブの提供。【解決手段】絶縁材からなる把持操作体１２と、折り返し片部３５を介して同方向に折り返された一側電極片部３３と他側電極片部３４とを備え、把持操作体１２の先端面１３ａ側から折り返し片部３５を露出させて把持操作体１２内に配設される電極材３２とで構成され、把持操作体１２は、先端面１３ａを備える把持本体部１３と、該把持本体部１３側が生成する付勢力に抗して先端面１３ａ方向への押し出しを可能に把持本体部１３に組み付けられる操作片部２３とを備え、電極材３２は、把持本体部１３に対する操作片部２３の進退の程度に応じて先端面１３ａから突出している折り返し片部３５側の突出長の程度が伸縮自在となるように配設した。【選択図】図１
2017009471.tif 000002
【特許請求の範囲】
【請求項１】
絶縁材からなる把持操作体と、折り返し片部を介して同方向に折り返された一側電極片部と他側電極片部とを備え、前記把持操作体の先端面側から前記折り返し片部を露出させて前記把持操作体内に配設される電極材とで構成され、
前記把持操作体は、前記先端面を備える把持本体部と、該把持本体部側が生成する付勢力に抗して前記先端面方向への押し出しを可能に前記把持本体部に組み付けられる操作片部とを備え、
前記電極材は、前記把持本体部に対する前記操作片部の進退の程度に応じて前記先端面から突出している前記折り返し片部側の突出長の程度が伸縮自在となるように前記把持操作体側に配設したことを特徴とする計測器用測定プローブ。
【請求項２】
前記電極材は、前記一側電極片部側を前記把持本体部側に固着し、前記他側電極片部の開放端側を前記操作片部側に固定支持させることで、該操作片部の進退移動に応じて前記他側電極片部側が従動するように配設した請求項１に記載の計測器用測定プローブ。
【請求項３】
前記把持本体部と前記操作片部とは、相対的な配置関係のもとで嵌合部を形成するガイド溝と該ガイド溝に案内される突起とを備え、これらガイド溝と突起とを介することで前記把持本体部に対し前記操作片部を進退自在とした請求項２に記載の計測器用測定プローブ。
【請求項４】
前記電極材は、前記一側電極片部の開放端側と前記他側電極片部の開放端側との双方を前記操作片部側に各別に固定支持させることで、該操作片部の進退移動に応じて前記一側電極片部と前記他側電極片部側とが同期従動するように配設した請求項１に記載の計測器用測定プローブ。
【発明の詳細な説明】
【技術分野】
【０００１】
本発明は、各種の電子回路の端子台が備えるねじ等の接続端子に対し電気的に接触させた接続状態を安定的に維持させることができる計測器用測定プローブに関する技術である。
【背景技術】
【０００２】
例えば端子台には、特許文献１の図８に示されているように複数の端子板が並列に配置されており、これら各端子板は、隔壁と奥壁とを介して各別に仕切られている。また、各端子板には、螺孔が形成されており、該螺孔上に端子とバネ座金とを介在させた状態でねじが螺着されている。このため、バネ座金上には、ねじの頭部が位置することになる。
【０００３】
このような構成からなる端子台は、各種の電子回路などに用いられていることから、必要な電気的な接触状態を確保する必要があり、例えばねじの頭部を鰐口クリップで咬持させることで接続がとられている。
【０００４】
しかし、上記した鰐口クリップを用いる場合は、ねじの頭部が滑りやすいこともあって、その取り付けに手間暇がかかるだけでなく、測定中に外れやすいという問題もあった。
【０００５】
上記した特許文献１に開示されているクリップは、上記問題を解決すべく提案されたものであり、開閉自在に対向配置される一対のクリップ部材により構成され、該クリップ部材のそれぞれの開閉端側が常閉方向に付勢されており、これら開閉端側に各別に配設されている係止部が閉止時にねじの頭部の下面側に位置するようにして形成されている。つまり、特許文献１のクリップは、各クリップ部材が開閉端側に備える係止部をねじの頭部に係止させて外れにくくすることで、電気的な接続状態を安定的に維持させようとするものである。
【先行技術文献】
【特許文献】
【０００６】
【特許文献１】特開２０１０−９９４１号公報
【発明の概要】
【発明が解決しようとする課題】
【０００７】
しかし、特許文献１の図８に示されている端子台は、奥壁の反対側である手前側が開口していることから、ねじの頭部の直上方向に起立する姿勢のもとで係止されているクリップが手前方向に引っ張られた際には外れやすくなってしまうという不都合が依然としてあった。
【０００８】
本発明は、従来技術の上記課題に鑑み、例えば各種の電子回路の端子台が備えるねじの頭部等の接続端子に対し電気的に接触させた接続状態を安定的に維持させることができる計測器用測定プローブを提供することを目的とする。
【課題を解決するための手段】
【０００９】
本発明は、上記目的を達成するためになされたものであり、絶縁材からなる把持操作体と、折り返し片部を介して同方向に折り戻された一側電極片部と他側電極片部とを備え、前記把持操作体の先端面側から前記折り返し片部を露出させて前記把持操作体内に配設される電極材とで構成され、前記把持操作体は、前記先端面を備える把持本体部と、該把持本体部側が生成する付勢力に抗して前記先端面方向への押し出しを可能に前記把持本体部に組み付けられる操作片部とを備え、前記電極材は、前記把持本体部に対する前記操作片部の進退の程度に応じて前記先端面から突出している前記折り返し片部側の突出長の程度が伸縮自在となるように配設したことを最も主要な特徴とする。
【００１０】
この場合、前記電極材は、前記一側電極片部側を前記把持本体部側に固着し、前記他側電極片部の開放端側を前記操作片部側に固定支持させることで、該操作片部の進退移動に応じて前記他側電極片部側が従動するように配設することができる。このとき、前記把持本体部と前記操作片部とは、相対的な配置関係のもとで嵌合部を形成するガイド溝と該ガイド溝に案内される突起とを備え、これらガイド溝と突起とを介することで前記把持本体部に対し前記操作片部を進退自在とするのが好ましい。
【００１１】
また、前記電極材は、前記一側電極片部の開放端側と前記他側電極片部の開放端側との双方を前記操作片部側に各別に固定支持させることで、該操作片部の進退移動に応じて前記一側電極片部と前記他側電極片部側とが同期従動するように配設することもできる。
【発明の効果】
【００１２】
請求項１に記載の発明によれば、操作片部を強制的に押し出して折り返し片部と把持操作体の先端面との間に拡大囲繞領域を形成することで接続端子を容易に導入配置することができる。また、拡大囲繞領域内に接続端子を導入配置した後は、操作片部に対する押し出し力を解除することで、把持本体部側が生成する付勢力に従って操作片部も押し戻されることから、折り返し片部と把持操作体の先端面との間に縮小囲繞領域が形成されて折り返し片部側が接続端子側と密着するに至る。その結果、接続端子は、折り返し片部と把持操作体の先端面との間に外れないようにしっかりと囲い込まれる。したがって、接続端子は、電極材側と電気的な接触状態を確実に確保できるだけでなく、その状態を安定的に維持させることもできる。
【００１３】
請求項２に記載の発明によれば、電極材は、一側電極片部側を把持本体部側に固着し、他側電極片部の開放端側を操作片部側に固定支持させることで、該操作片部の進退移動に応じて他側電極片部側を従動させながら把持操作体側に対する折り返し片部側の突出長の程度を片持ち的な状態のもとで伸縮自在とすることができるので、それだけ全体構造を簡素化することができる。
【００１４】
請求項３に記載の発明によれば、請求項２に記載の把持本体部と操作片部とは、相対的な配置関係で嵌合部を形成するガイド溝と該ガイド溝に案内される突起とを備えているので、把持本体部に対し操作片部をガイド溝と突起とに沿わせることでより円滑に進退操作をすることができる。
【００１５】
請求項４に記載の発明によれば、電極材は、一側電極片部の開放端側と他側電極片部の開放端側との双方を操作片部側に各別に固定支持させることで、該操作片部の進退移動に応じて一側電極片部と他側電極片部側とを同期従動させることができるので、一側電極片部の進退方向と他側電極片部の進退方向との二方向に沿うように支持された状態のもとで操作片部を安定した状態のもとで円滑に進退させることができる。
【図面の簡単な説明】
【００１６】
【図１】本発明の一例を模式的に示す説明図であり、そのうちの（ａ）は、不使用時の状態を、（ｂ）は、操作片部の押し出しに伴って進出する電極材と接続端子との間の配置関係を、（ｃ）は、付勢力の作用により操作片部が押し戻されて電極材が接続端子と電気的に接続された状態をそれぞれ示す。
【図２】本発明の他例を模式的に示す説明図であり、そのうちの（ａ）は、不使用時の状態を、（ｂ）は、操作片部の押し出しに伴って進出する電極材と接続端子との間の配置関係を、（ｃ）は、付勢力の作用により操作片部が押し戻されて電極材が接続端子と電気的に接続された状態をそれぞれ示す。
【発明を実施するための形態】
【００１７】
図１および図２は、本発明の実施の形態例を示す説明図であり、これらの図によれば、計測器用測定プローブ１１の全体は、絶縁材からなる把持操作体１２と、折り返し片部３５を介して同方向に折り返された一側電極片部３３と他側電極片部３４とを備え、把持操作体１２の先端面１３ａ側から折り返し片部３５を露出させ、かつ、一側電極片部３３と他側電極片部３４との側が把持操作体１２内に配置される電極材３２とで構成されている。なお、図中の符号３９は、一端３９ａ側が例えば他側電極片部３４側に、図示しない他端側が適宜の計測器側に接続されている引き出し線を示す。
【００１８】
これらのうち、把持操作体１２は、折り返し片部３５が露出した状態で位置することになる先端面１３ａを備える把持本体部１３と、該把持本体部１３側が生成する付勢力に抗して先端面１３ａ方向への押し出しを可能に把持本体部１３に組み付けられる操作片部２３とで形成されている。
【００１９】
また、電極材３２は、把持本体部１３に対する操作片部２３の進退の程度に応じて先端面１３ａから突出している折り返し片部３５側の突出長の程度が伸縮自在となって配設されている。なお、電極材３２は、撓曲配置することができるものでさえあれば、１本の線材や複数本の細い線材を一体的に撚り合わせた線状を呈するものや、細幅な板状を呈するものを用いることができる。
【００２０】
これを図１に示す本発明の一例に基づいてより具体的に説明すれば、把持操作体１２の一方の構成部材である把持本体部１３は、絶縁性合成樹脂を用いて例えば円柱状や角柱状を呈して形成されている。
【００２１】
また、把持操作体１２の他方の構成部材である操作片部２３は、把持本体部１３の長さ方向と直交する方向を長さ方向として配置される板状操作部２４と、該板状操作部２４の一側面２４ａ側、つまり把持本体部１３の先端面１３ａと対面する側に設けられている柱状突起部２５とを備えて絶縁性合成樹脂により形成されている。
【００２２】
ここで、把持本体部１３と操作片部２３との配置関係を説明すれば、把持本体部１３は、基端部１４側に操作片部２３側の進退を一定の範囲で許容する適宜幅のスリット部１５が設けられているほか、操作片部２３が基端部１４の基端面１４ａ側から飛び出さないように閉止する障壁部１６が設けられている。
【００２３】
また、スリット部１５を介して操作片部２３が配置される把持本体部１３には、操作片部２３の柱状突起部２５と対向する側の位置に該柱状突起部２５よりもやや大径な穴部１７が、該穴部１７に収容される引張りコイルスプリング２９の長さとの関係で定まる適宜長さが付与されて先端面１３ａ方向に向けて設けられている。
【００２４】
さらに、把持本体部１３の穴部１７における穴底１７ａは、穴部１７の径より小径な貫通孔１９を介して先端面１３ａ側と連通している。なお、把持本体部１３に対する操作片部２３の進退は、図示は省略しているが、スリット部１５を区画形成している少なくとも一方の隔壁１５ａ、好ましくは双方の隔壁１５ａと、操作片部２３の板状操作部２４における対応部位との間で相対的な嵌合関係となるように配設された図示しないガイド溝と該ガイド溝に案内される突起とを介して行わせるようにするのが好ましい。
【００２５】
一方、電極材３２における一側電極片部３３は、図１（ａ）に示されているような不使用時に把持本体部１３の先端面１３ａから折り返し部３５を露出させた状態のもとで把持本体部１３内に埋め込むようにして固定配置されている。
【００２６】
また、電極材３２における他側電極片部３４は、図１（ａ）に示されているように貫通孔１９と穴部１７内に配置されている引張りコイルスプリング２９とを経て操作片部２３が備える柱状突起部２５に開放端３４ａ側を埋め込むなどして固定支持されている。
【００２７】
次に、図２に基づいて本発明の他例をより具体的に説明すれば、図１に示す一例と同様に、把持操作体１２の一方の構成部材である把持本体部１３は、絶縁性合成樹脂を用いて例えば円柱状や角柱状を呈して形成されている。
【００２８】
また、把持操作体１２の他方の構成部材である操作片部２３は、把持本体部１３の長さ方向と直交する方向を長さ方向として配置される板状操作部２４と、該板状操作部２４の一側面２４ａ側に設けられている左右一対の柱状突起部２５，２５とを備えて絶縁性合成樹脂により形成されている。
【００２９】
ここで、把持本体部１３と操作片部２３との配置関係を説明すれば、把持本体部１３は、図１に示す一例と同様に、基端部１４側に操作片部２３側の進退を一定の範囲で許容する適宜幅のスリット部１５が設けられているほか、操作片部２３が基端部１４の基端面１４ａ側から飛び出さないように閉止する障壁部１６が設けられている。
【００３０】
また、スリット部１５を介して操作片部２３が配置される把持本体部１３は、操作片部２３の各柱状突起部２５と対向する位置から先端面１３ａへと至って連通している貫通孔１９が各別に形成されている。
【００３１】
一方、電極材３２における一側電極片部３３と他側電極片部３４とは、図２（ａ）に示されているような不使用時に把持本体部１３の先端面１３ａから折り返し部３５を露出させた状態のもとで、それぞれの貫通孔１９を経て、さらにスリット部１５側に突出している部位に各別に挿通配置されている各引張りコイルスプリング２９を経て操作片部２３が備える一対の柱状突起部２５にそれぞれの開放端３３ａ，３４ａ側を各別に埋め込むなどして固定支持されている。なお、この場合における各引張りコイルスプリング２９の外径は、各貫通孔１９の内径より大径に形成されているものが用いられる。また、各引張りコイルスプリング２９は、図示は省略してあるが、図１に示す他側電極片部３４側の穴部１７と同様の穴部を一側電極片部３３と他側電極片部３４とが挿通されている貫通孔１９，１９と各別に連通させて設けておき、各引張りコイルスプリング２９をそれぞれの穴部を介して収容するようにしてもよい。
【００３２】
次に、上記構成からなる本発明の作用について、まず、図１に示す一例に基づいて説明すれば、不使用時における計測器用測定プローブ１１は、図１（ａ）に示されているように、電極材３２の折り返し片部３５が把持本体部１３の先端面１３ａ側に最接近した状態、つまり、引張りコイルスプリング２９が付勢力により操作片部２３における板状操作部２４の他側面２４ｂが障壁部１６側に押し付けられた状態となっている。
【００３３】
計測器用測定プローブ１１を使用しようとする際には、把持本体部１３を一方の手指等で把持した上で、図１（ｂ）に示すように操作片部２３における板状操作部２４を引張りコイルスプリング２９の付勢力に抗して把持本体部１３の先端面１３ａ方向へと他方の手指で押し付けることで、電極材における他側電極片部３４もその押し付け分だけ貫通孔１９を介して先端面１３ａから押し出され、電極材３２の折り返し片部３５も把持本体部１３の先端面１３ａからそれだけ引き離される。
【００３４】
その結果、把持本体部１３の先端面１３ａと電極材３２の折り返し片部３５との間には、接続端子４１の外径を上回る拡大囲繞領域３６が確保される結果、図１（ｂ）からも明らかなように接続端子４１を拡大囲繞領域３６内に容易に導入配置させることができる。
【００３５】
接続端子４１を拡大囲繞領域３６内に配置させた後は、操作片部２３の板状操作部２４側に付与されていた押し出し力を解除することで、操作片部２３が引張りコイルスプリング２９の付勢力により強制的に押し戻されて後退する。図１（ｃ）に示すように、このとき、把持本体部１３の先端面１３ａと電極材３２の折り返し片部３５との間には、折り返し片部３５側が接続端子４１と密着するに至る縮小囲繞領域３７が確保される結果、接続端子４１を把持本体部１３の先端面１３ａと電極材３２の折り返し片部３５との間に外れないようにしっかりと囲い込むことで、接続端子４１と電極材３２とを電気的に接続することができる。
【００３６】
一方、図２に示す他例についてその作用を説明すれば、不使用時における計測器用測定プローブ１１は、図２（ａ）に示されているように、電極材３２の折り返し片部３５が把持本体部１３の先端面１３ａ側に最接近した状態、つまり、各引張りコイルスプリング２９が付勢力により操作片部２３における板状操作部２４の他側面２４ｂが障壁部１６側に押し付けられた状態となっている。
【００３７】
計測器用測定プローブ１１を使用しようとする際には、一方の手指で把持本体部１３側を把持した上で、図２（ｂ）に示すように、操作片部２３における板状操作部２４を各引張りコイルスプリング２９の付勢力に抗して把持本体部１３の先端面１３ａ方向へと他方の手指で押し出すことで、電極材３２における一側電極片部３３と他側電極片部３４とのそれぞれもその押し出し分だけ各貫通孔１９を介して先端面１３ａから押し出され、電極材３２の折り返し片部３５も把持本体部１３の先端面１３ａからそれだけ引き離される。
【００３８】
その結果、把持本体部１３の先端面１３ａと電極材３２の折り返し片部３５との間には、接続端子４１の外径を上回る拡大囲繞領域３６が確保される結果、図２（ｂ）からも明らかなように接続端子４１を拡大囲繞領域３６内に容易に導入配置することができる。
【００３９】
接続端子４１を拡大囲繞領域３６内に配置した後は、操作片部２３における板状操作部２４に付与されていた押し出し力を解除することで、操作片部２３も各引張りコイルスプリング２９の付勢力にしたがって後退する。図２（ｃ）に示すように、このとき、把持本体部１３の先端面１３ａと電極材３２の折り返し片部３５との間には、該折り返し片部３５側が接続端子４１と密着するに至る縮小囲繞領域３７が確保される結果、接続端子４１を把持本体部１３の先端面１３ａと電極材３２の折り返し片部３５との間に外れないようにしっかりと囲い込みながら確実に接続端子４１と電極材３２とを電気的に接続することができる。
【００４０】
以上に述べたように、本発明によれば、把持操作体１２は、先端面１３ａを備える把持本体部１３と、該把持本体部１３側が生成する付勢力に抗して先端面１３ａ方向への押し出しを可能に把持本体部１３に組み付けられる操作片部２３とを備えており、電極材３２は、把持本体部１３に対する操作片部２３の進退の程度に応じて先端面１３ａから突出している折り返し片部３５側の突出長の程度が伸縮自在となるように配設されているので、操作片部２３を強制的に押し出して折り返し片部３５に拡大囲繞領域３６を形成しつつ接続端子４１を容易に導入配置することができる。
【００４１】
また、拡大囲繞領域３６内に接続端子４１を導入配置した後は、操作片部２３に対する押し出し力を解除することで、把持本体部１３側が生成する付勢力に従って操作片部２３も押し戻されることから、折り返し片部３５と把持操作体１２の先端面１３ａとの間に縮小囲繞領域３７を形成して折り返し片部３５側を接続端子４１側に密着させることができる。
【００４２】
その結果、接続端子４１は、折り返し片部３５と把持操作体１２の先端面１３ａとの間に外れないようにしっかりと囲い込まれることになり、したがって、接続端子４１は、電極材３２側と電気的な接触状態を確実に確保できるだけでなく、その状態を安定的に維持させることもできることになる。
【００４３】
また、図１に示すように電極材３２の一側電極片部３３側を把持本体部１３側に固着し、他側電極片部３４の開放端３４ａ側を操作片部２３側に固定支持させてある場合には、該操作片部２３の進退移動に応じて他側電極片部３４側を従動させることで、把持操作体１３側に対する折り返し片部３５側の突出長の程度を片持ち的な状態のもとで伸縮自在とすることができるので、それだけ全体構造を簡素化することができる。さらに、把持本体部１３と操作片部２３とが相対的な配置関係のもとで図示しない嵌合部を形成するガイド溝と該ガイド溝に案内される突起とを備えている場合には、把持本体部１３に対し操作片部２３を図示しないガイド溝と突起とに沿わせることでより円滑に進退操作をすることができる。
【００４４】
一方、図２に示すように電極材３２の一側電極片部３３の開放端３３ａ側と他側電極片部３４の開放端３４ａ側との双方が操作片部２３側に各別に固定支持されている場合には、該操作片部２３の進退移動に応じて一側電極片部３３と他側電極片部３４側とを同期従動させることができるので、一側電極片部３３の進退方向と他側電極片部３４の進退方向との二方向に沿うように支持された状態のもとで操作片部２３を安定した状態のもとで円滑に進退させることができることになる。また、電極材３２の一側電極片部３３の開放端３３ａ側と他側電極片部３４の開放端３４ａ側との双方を操作片部２３側に各別に固定支持させておくことにより、図１に示す他側電極片部３４側の穴部１７と同様の穴部を設けることなく、それぞれの引っ張りコイルスプリング２９を介して操作片部２３を安定的に進退させることができ、それだけ把持本体部１３側の内部構造を簡素化することができる。
【符号の説明】
【００４５】
１１  計測器用測定プローブ
１２  把持操作体
１３  把持本体部
１３ａ  先端面
１４  基端部
１４ａ  基端面
１５  スリット部
１５ａ  隔壁
１６  障壁部
１７  穴部
１７ａ  穴底
１９  貫通孔
２３  操作片部
２４  板状操作部
２４ａ  一側面
２４ｂ  他側面
２５  柱状突起部
２９  引張りコイルスプリング
３２  電極材
３３  一側電極片部
３３ａ  開放端
３４  他側電極片部
３４ａ  開放端
３５  折り返し片部
３６  拡大囲繞領域
３７  縮小囲繞領域
３９  引き出し線
３９ａ  一端
４１  接続端子
【図１】
2017009471.tif 000003
【図２】
2017009471.tif 000004